(57)【要約】【課題】  開閉体と撓み抑制部材の接触による衝撃を緩和する。【解決手段】  空間を仕切るように閉鎖動作する開閉体１０と、閉鎖状態の開閉体１０が厚さ方向へ撓むのを抑制する撓み抑制部材５０とを備えた開閉装置において、撓み抑制部材５０は、閉鎖状態の開閉体１０の表部又は裏部に沿う撓み抑制位置と、開閉体１０により開閉される開口部の周囲側である収納位置との間で回動するように、少なくともその一端側が不動部位に支持された長尺状の本体部５１と、厚さ方向へ撓んだ際の本体部５１を受けて弾性変形するように本体部５１に装着された緩衝部材５２とを具備している。【選択図】  図１
2020094337.tif 000002
【特許請求の範囲】
【請求項１】
空間を仕切るように閉鎖動作する開閉体と、閉鎖状態の前記開閉体が厚さ方向へ撓むのを抑制する撓み抑制部材とを備えた開閉装置において、
前記撓み抑制部材は、閉鎖状態の前記開閉体の表部又は裏部に沿う撓み抑制位置と、前記開閉体により開閉される開口部の周囲側である収納位置との間で回動するように、少なくともその一端側が不動部位に支持された長尺状の本体部と、厚さ方向へ撓んだ際の前記開閉体を受けて弾性変形するように前記本体部に装着された緩衝部材とを具備していることを特徴とする開閉装置。
【請求項２】
前記緩衝部材は、少なくとも、閉鎖状態の前記開閉体における開閉方向及び横幅方向の略中央部に近接又は接触するように設けられていることを特徴とする請求項１記載の開閉装置。
【請求項３】
前記本体部は、一端側が開閉体開放方向側の不動部位に枢着され、他端側が前記開閉体の閉鎖方向端部側に枢着され、これら両枢着部分の間を伸縮させることを特徴とする請求項１又は２記載の開閉装置。
【請求項４】
前記本体部は、前記不動部位に枢着された基端側ロッドと、この基端側ロッドの前記他端側に対し直線状にスライドするように接続されたスライドロッドとを具備し、前記スライドロッドは、前記他端側が前記開閉体の閉鎖方向端部側に枢着され、外面に前記緩衝部材を装着していることを特徴とする請求項３記載の開閉装置。
【請求項５】
前記本体部は、一端側が開閉体開放方向側の不動部位に枢着された第一のリンクと、この第一のリンクの他端側に枢着された第二のリンクとを備え、これら二つのリンクを屈曲及び進展させるように構成され、
前記緩衝部材は、前記二つのリンクの一方又は双方に設けられていることを特徴とする請求項１又は２記載の開閉装置。
【請求項６】
前記緩衝部材は、屈曲した際の前記二つのリンクの間に位置するように設けられていることを特徴とする請求項５記載の開閉装置。
【請求項７】
前記緩衝部材は、前記撓み抑制部材の外周部を覆うように設けられていることを特徴とする請求項１〜６何れか１項記載の開閉装置。
【発明の詳細な説明】
【技術分野】
【０００１】
本発明は、オーバーヘッドドアを含むシャッター装置、ロールスクリーン、ブラインド、オーニング装置、門扉、ゲート、スライディングウォール装置等、スライドする開閉体により空間を仕切るようにした開閉装置に関し、特にシャッター装置として好適な開閉装置に関するものである。
【背景技術】
【０００２】
従来、この種の発明には、例えば特許文献１に記載されるように、空間を仕切るように閉鎖動作する開閉体と、この開閉体を上方側で収納する収納ケースと、前記収納ケースに一端側を枢支するとともに他端側を開閉体の下端側に枢支しその全長を伸縮するようにした棒状の撓み抑制部材とを備えたシャッター装置がある。
このシャッター装置によれば、開閉体を全閉した際に、棒状の撓み抑制部材が開閉体の表面に近接するように位置する。このため、開閉体は、強風を受ける等して撓んだ場合でも、撓み抑制部材に当接してその撓みが抑制される。
【先行技術文献】
【特許文献】
【０００３】
【特許文献１】特開２００６−２９９５２２公報
【発明の概要】
【発明が解決しようとする課題】
【０００４】
しかしながら、前記従来技術によれば、開閉体が撓んで撓み抑制部材に当接した際に、大きな当接音やばたつき音が発生したり、開閉体や撓み抑制部材が損傷したりする可能性がある。
【課題を解決するための手段】
【０００５】
このような課題に鑑みて、本発明は、以下の構成を具備するものである。
空間を仕切るように閉鎖動作する開閉体と、閉鎖状態の前記開閉体が厚さ方向へ撓むのを抑制する撓み抑制部材とを備えた開閉装置において、前記撓み抑制部材は、閉鎖状態の前記開閉体の表部又は裏部に沿う撓み抑制位置と、前記開閉体により開閉される開口部の周囲側である収納位置との間で回動するように、少なくともその一端側が不動部位に支持された長尺状の本体部と、厚さ方向へ撓んだ際の前記開閉体を受けて弾性変形するように前記本体部に装着された緩衝部材とを具備していることを特徴とする開閉装置。
【発明の効果】
【０００６】
本発明は、以上説明したように構成されているので、開閉体と撓み抑制部材の接触による衝撃を緩和することができる。
【図面の簡単な説明】
【０００７】
【図１】本発明に係る開閉装置の第一の実施態様について、全閉状態を示す正面図である。
【図２】同開閉装置の全開状態を示す正面図である。
【図３】撓み抑制部材について要部を切欠して示す構造図である。
【図４】本発明に係る開閉装置の第二の実施態様について、全閉状態を示す正面図である。
【図５】同開閉装置の全開状態を示す正面図である。
【図６】撓み抑制部材について要部を切欠して示す構造図である。
【発明を実施するための形態】
【０００８】
本実施の形態では、以下の特徴を開示している。
第一の特徴は、空間を仕切るように閉鎖動作する開閉体と、閉鎖状態の前記開閉体が厚さ方向へ撓むのを抑制する撓み抑制部材とを備えた開閉装置において、前記撓み抑制部材は、閉鎖状態の前記開閉体の表部又は裏部に沿う撓み抑制位置と、前記開閉体により開閉される開口部の周囲側である収納位置との間で回動するように、少なくともその一端側が不動部位に支持された長尺状の本体部と、厚さ方向へ撓んだ際の前記開閉体を受けて弾性変形するように前記本体部に装着された緩衝部材とを具備している（図１〜図６参照）。
この構成によれば、撓んだ際の開閉体が、緩衝部材を介して本体部に当接する。このため、その当接の際の衝撃を緩和することができる。
【０００９】
第二の特徴として、より効果的に衝撃を緩和するために、前記緩衝部材は、少なくとも、閉鎖状態の前記開閉体における開閉方向及び横幅方向の略中央部に近接又は接触するように設けられている（図１及び図４参照）。
【００１０】
第三の特徴として、開閉体の閉鎖動作に伴って撓み抑制部材を撓み抑制位置にするために、前記本体部は、一端側が開閉体開放方向側の不動部位に枢着され、他端側が前記開閉体の閉鎖方向端部側に枢着され、これら両枢着部分の間を伸縮させる（図１〜図６参照）。
【００１１】
第四の特徴として、撓み抑制部材を伸縮可能にし且つ緩衝効果を効果的に得るために、前記本体部は、前記不動部位に枢着された基端側ロッドと、この基端側ロッドの前記他端側に対し直線状にスライドするように接続されたスライドロッドとを具備し、前記スライドロッドは、前記他端側が前記開閉体の閉鎖方向端部側に枢着され、外面に前記緩衝部材を装着している（図１〜図３参照）。
【００１２】
第五の特徴として、撓み抑制部材を伸縮可能にし且つ緩衝効果を効果的に得るために、前記本体部は、一端側が開閉体開放方向側の不動部位に枢着された第一のリンクと、この第一のリンクの他端側に枢着された第二のリンクとを備え、これら二つのリンクを屈曲及び進展させるように構成され、前記緩衝部材は、前記二つのリンクの一方又は双方に設けられている（図４〜図６参照）。
【００１３】
第六の特徴として、前記緩衝部材は、屈曲した際の前記二つのリンクの間に位置するように設けられている（図６参照）。
【００１４】
第七の特徴として、より効果的に緩衝音を低減するために、前記緩衝部材は、前記撓み抑制部材の外周部を覆うように設けられている（図３及び図６参照）。
【００１５】
＜第一の実施態様＞
次に、上記特徴を有する第一の実施態様について、図面に基づいて詳細に説明する。なお、以下の説明において、「開閉体厚さ方向」とは、閉鎖状態の開閉体の厚さ方向を意味する。また、「開閉体幅方向」とは、開閉体の開閉方向と略直交する方向であって、開閉体の厚さ方向ではない方向を意味する。また、「開閉体開閉方向」とは、開閉体が空間を仕切ったり開放したりするためにスライドする方向を意味する。
【００１６】
開閉装置１は、空間を仕切るように下方へ閉鎖動作する開閉体１０と、開閉体１０の幅方向の端部を凹状に囲んで閉鎖方向へ案内する左右のガイドレール２０，２０と、開閉体１０をその開放方向側で収納する収納部３０と、全閉状態の開閉体１０の下端部に対向するように設けられる下枠４０と、閉鎖状態の開閉体１０が厚さ方向へ撓むのを抑制する撓み抑制部材５０とを備える（図１参照）。
この開閉装置１は、例えば、構造物開口部の窓サッシの屋外側に固定されて窓用シャッター装置を構成する。
【００１７】
開閉体１０は、横長略矩形状の金属板を曲げ加工してなるスラット１１ａを、上下に隣接するスラット１１ａ，１１ａ間で回動するように複数連接することで、開閉体本体１１を構成し、この開閉体本体１１の下側の端部に、下枠４０に当接させるための座板部材１２（水切り又は幅木と呼称される場合もある。）を、開閉体幅方向にわたって接続している。
【００１８】
この開閉体１０の幅方向の端部には、必要に応じて、開閉体厚さ方向へ突出してガイドレール２０内から抜けないように係合する抜止め部材（図示せず）が設けられる。
【００１９】
ガイドレール２０は、開閉体１０の幅方向端部を横断面略コ字状に囲んで開閉方向へ案内する部材であり、収納部３０と下枠４０との間にわたって略鉛直状に設けられる。
【００２０】
収納部３０は、収納ケース３１内に、開閉体１０を巻き取ったり繰り出したりする巻取軸（図示せず）を収納している。
収納ケース３１は、横長箱状に形成され、その下端部に、開閉体１０及び撓み抑制部材５０を遊挿する横長の開口部３１ａを有する。
また、収納ケース３１内には、必要に応じて、開閉体１０を電動で開閉させるための開閉機や動力伝達機構、制御回路等が設けられる。
【００２１】
下枠４０は、左右のガイドレール２０，２０の下端部間にわたって設けられた長尺状の部材である。
【００２２】
撓み抑制部材５０は、閉鎖状態の開閉体１０の表部又は裏部に沿う撓み抑制位置（図１参照）と、開閉体１０により開閉される開口部の周囲側である収納位置（図２参照）との間で回動するように、少なくともその一端側が不動部位に支持された長尺状の本体部５１と、厚さ方向へ撓んだ際の開閉体１０を受けて弾性変形するように本体部５１に装着された緩衝部材５２とを具備している。
【００２３】
本体部５１は、一端側が開閉体開放方向側の不動部位に枢着され、他端側が開閉体１０の閉鎖方向端部側に枢着され、これら両枢着部分の間を伸縮させるように構成される。
【００２４】
詳細に説明すれば、本体部５１は、一端側が収納ケース３１内に枢着された基端側ロッド５１ａと、この基端側ロッド５１ａの他端側に筒状に重ね合わせられて直線状にスライドするスライドロッド５１ｂとを具備する。
【００２５】
基端側ロッド５１ａは、金属等の硬質材料により長尺な軸状又は筒状に形成され、その一端側が開口部３１ａから収納ケース３１内に挿入され、収納ケース３１の内面に、ブラケット及び軸状部材等を介して回転自在に枢着される。この基端側ロッド５１ａの他端側は、収納部３０内に位置する収納位置（図２参照）と、下方へ回動して開閉体１０面に沿う撓み抑制位置（図１参照）との間で回動する。
【００２６】
スライドロッド５１ｂは、金属等の硬質材料により長尺な筒状に形成され、その一端側が基端側ロッド５１ａの外周部に重ね合わせられ、基端側ロッド５１ａに対し直線状にスライドする。そして、このスライドロッド５１ｂの他端側は、開閉体１０の閉鎖方向端部側（詳細には座板部材１２）に、ブラケット及び軸状部材等を介して回転自在に枢着されている。
【００２７】
緩衝部材５２は、ゴムやエラストマー樹脂等の弾性材料から形成され、少なくとも、閉鎖状態の前記開閉体における開閉方向及び横幅方向の略中央部に近接するよう配設される。
本実施の形態の好ましい一例によれば、この緩衝部材５２は、スライドロッド５１ｂの全外周部を覆う筒状に構成され、スライドロッド５１ｂの長手方向の略全長にわたって設けられる。
【００２８】
次に上記構成の開閉装置１について、その特徴的な作用効果を詳細に説明する。
図１に示すように開閉体１０が全閉した状態では、撓み抑制部材５０が、開閉体１０面に対し斜めに配置される。そして、この撓み抑制部材５０のスライドロッド５１ｂ外周の緩衝部材５２が、開閉体１０面に近接する。
したがって、開閉体１０は、風に煽られる等して厚さ方向へ撓んだ場合にでも、撓み抑制部材５０に当接するため、その撓みが抑制される。この際、この当接による衝撃及び当接音は、緩衝部材５２の弾性によって緩和される。
【００２９】
＜第二の実施態様＞
次に、図４〜図６に示す開閉装置２について説明する。この開閉装置２、上記開閉装置１に対し一部を変更したものであるため、開閉装置１と略同様の構成については同一の符号を付け、重複する詳細説明を省略する。
【００３０】
開閉装置２は、上記開閉装置１に対し、上記撓み抑制部材５０を撓み抑制部材６０に置換したものである。
【００３１】
撓み抑制部材６０は、閉鎖状態の開閉体１０の表部又は裏部に沿う撓み抑制位置（図４参照）と、閉鎖状態の開閉体１０の周囲側における収納位置（図５参照）との間で回動しながら伸展するように、一端側が不動部位に支持された長尺状の本体部６１と、厚さ方向へ撓んだ際の開閉体１０を受けて弾性変形するように本体部６１に装着された緩衝部材５２とを具備している。
【００３２】
本体部６１は、一端側が開閉体開放方向側の不動部位（図示例によれば収納ケース３１内）に枢着された第一のリンク６１ａと、この第一のリンク６１ａの他端側にヒンジ６１ｂを介して枢着された第二のリンク６１ｃとを備え、これら二つのリンク６１ａ，６１ｃを屈曲及び進展させる。
【００３３】
第一のリンク６１ａは、金属等の硬質材料により長尺状に形成され、その一端側が開口部３１ａから収納ケース３１内に挿入され、収納ケース３１内の幅方向の略中央部に、ブラケット及び軸状部材等を介して回転自在に枢着される。この第一のリンク６１ａの他端側は、収納部３０内に位置する収納位置（図５参照）と、下方へ回動して略鉛直状に開閉体１０面に沿う撓み抑制位置（図４参照）との間で回動する。
この第一のリンク６１ａの全外周部は、その略全長にわたって緩衝部材５２により覆われている。
【００３４】
ヒンジ６１ｂは、金属等の硬質材料により、第一のリンク６１ａの他端側（図４によれば下端側）と、第二のリンク６１ｃの一端側（図４によれば上端側）に跨るように設けられる。そして、このヒンジ６１ｂは、一端側と他端側に、それぞれ、第一のリンク６１ａと第二のリンク６１ｃを回転自在に枢着している。
【００３５】
第二のリンク６１ｃは、金属等の硬質材料により長尺状に形成され、他端側（図４によれば下端側）を、開閉体１０の閉鎖方向端部側（詳細には座板部材１２）に対し、ブラケット及び軸状部材等を介して回転自在に枢着している。
このヒンジ６１ｂの全外周部は、その略全長にわたって緩衝部材５２により覆われている。
【００３６】
次に上記構成の開閉装置２について、その特徴的な作用効果を詳細に説明する。
図４に示すように開閉体１０が全閉した状態では、撓み抑制部材６０が、開閉体１０面の幅方向の略中央部で、開閉体１０の上下方向の略全長にわたって鉛直状に配置される。そして、この撓み抑制部材６０の二つのリンク６１ａ，６１ｃの外周の緩衝部材５２，５２が、開閉体１０面に近接する。
したがって、開閉体１０は、風に煽られる等して厚さ方向へ撓んだ場合でも、撓み抑制部材６０に当接するため、その撓みが抑制される。この際、この当接による衝撃及び当接音は、緩衝部材５２の弾性によって緩和される。
【００３７】
しかも、開閉体１０の全閉状態では、撓み抑制部材６０が、開閉体１０の幅方向の略中央部に鉛直状に配置されるため、撓み抑制部材が斜めに配設される態様と比較し、外観上の体裁を向上することができる。
特に、当該開閉装置２を窓サッシ等に装着し、撓み抑制部材６０が、開閉体１０と網戸又は窓の縦框との間に位置するようにすれば、撓み抑制部材６０を前記縦框によって目立たなくすることができる。
【００３８】
＜変形例＞
なお、上記開閉装置１，２によれば、スライドロッド５１ｂや、第一のリンク６１ａ、第二のリンク６１ｃ等の長尺部材に対し、その全長にわたって緩衝部材５２を設けたが、他例としては、前記長尺部材に対しその一部分に緩衝部材５２を設けた態様とすることも可能である。この場合、この部分的な緩衝部材５２は、少なくとも開閉体１０の開閉方向及び横幅方向の略中央部を含む位置に設けるのが好ましい。
【００３９】
また、上記開閉装置１，２によれば、スライドロッド５１ｂや、第一のリンク６１ａ、第二のリンク６１ｃ等の長尺部材に対し、その周方向へわたる環状に緩衝部材５２を設けたが、他例としては、前記周方向の一部分に緩衝部材５２を設けた態様や、周方向に分割された緩衝部材を具備する態様等とすることも可能である。この場合、部分的な緩衝部材は、少なくとも開閉体１０の表面又は裏面に対向する位置に設けられる。
【００４０】
また、上記開閉装置１によれば、基端側ロッド５１ａとスライドロッド５１ｂが筒状に重なり合う態様としたが、他例としては、これら二つの部材を、長手方向へわたる凹溝と突条の嵌め嵌め合わせによって接続し、その一方が他方に対しスライドすることで全体が伸縮する態様とすることも可能である。
【００４１】
また、上記開閉装置１によれば、開閉体１０の閉鎖状態で単一の撓み抑制部材５０が斜めに配設されるようにしたが、他例としては、二つの撓み抑制部材を交差状に配設した態様や、３以上の撓み抑制部材を適宜に並べるようにした態様等とすることも可能である。
【００４２】
また、上記開閉装置１によれば、撓み抑制部材５０を伸縮する二つのロッドにより構成したが、他例として、特に開閉体１０の開閉ストロークが比較的短い場合等には、撓み抑制部材を単一のロッドから構成することも可能である。さらに、他例としては、撓み抑制部材を伸縮可能に接続された３以上のロッドから構成することも可能である。
【００４３】
同様に、上記開閉装置２についても、他例としては、二つの撓み抑制部材６０を左右対称に設けた態様や、複数のリンクからなる撓み抑制部材を適宜に並べた態様、撓み抑制部材５０と撓み抑制部材６０を適宜に組み合わせた態様等とすることも可能である。
【００４４】
また、上記開閉装置２によれば、特に好ましい一例として、第一のリンク６１ａと第二のリンク６１ｃの双方に緩衝部材５２を設けたが、他例としては、その一方の緩衝部材５２を省いた態様とすることも可能である。
【００４５】
また、上記開閉装置１，２によれば、撓み抑制部材５０，６０の一端側が止着される不動部位を、収納ケース３１としたが、他例としては、前記不動部位を、ガイドレール２０や、下枠４０、当該開閉装置１，２の装着対象となる建物等の躯体とすることも可能である。
【００４６】
また、本発明は上述した実施態様に限定されず、本発明の要旨を変更しない範囲で適宜変更可能である。
【符号の説明】
【００４７】
１，２：開閉装置
１０：開閉体
５０，６０：撓み抑制部材
５１：本体部
５１ａ：基端側ロッド
５１ｂ：スライドロッド
５２：緩衝部材
６１：本体部
６１ａ：第一のリンク
６１ｂ：ヒンジ
６１ｃ：第二のリンク
【図１】
2020094337.tif 000003
【図２】
2020094337.tif 000004
【図３】
2020094337.tif 000005
【図４】
2020094337.tif 000006
【図５】
2020094337.tif 000007
【図６】
2020094337.tif 000008